Podtech/llm-jp-corpus-v4-ja_patent huggingface dataset:
(57)【特許請求の範囲】
【請求項１】
細長状で埋設された引手２（２ａ、２ｂ、２ｃ、２ｄ）が縦方向に縮小されながら複数個、戸締まり方向に正面視横三角状に並設されてなる引き戸９。
【請求項２】
前記引手２は中央付近に透光性部材５が嵌めこまれていることを特徴とする請求項１記載の引き戸９。
【請求項３】
前記透光性部材５は、ポリカーボネート板、アクリル板であることを特徴とする請求項２記載の引き戸９。
【発明の詳細な説明】
【技術分野】
【０００１】
本発明は引き戸に関する。
【背景技術】
【０００２】
従来、引き戸の開閉には指は手が引っ掛かりやすいように扉の入り口付近に取手や引手が設けられている。
【特許文献１】特開平８−３１２２５７号公報
【発明の開示】
【発明が解決しようとする課題】
【０００３】
しかしながら、縦型の取手では扉の開閉時に取手の出っ張り部分が車椅子の移動を妨げるものとなっていた。
また、横型の取手では左右のどちらが戸先か判別がつきにくかった。
更に取手に代えて引手にしても車椅子を利用している人にとっては入り口付近まで車椅子を移動させなければならず、扉を開ける際には後方に引き下がりつつ開け、また扉を閉める際には前方に移動しながら閉めなければならなかった。
【課題を解決するための手段】
【０００４】
本発明はかかる状況に鑑み検討されたもので、細長状の引手２（２ａ、２ｂ、２ｃ、２ｄ）が複数個、戸締まり方向に縮小されながら並設されてなる引き戸９である。
【発明の効果】
【０００５】
本発明の引き戸によれば、車椅子を利用している人にとって扉の開け閉めがしやすく、扉の開閉方向もわかりやすい。以下、図面に基づいて詳細に説明する。
【発明を実施するための最良の形態】
【０００６】
図１は本発明の引き戸９の正面図、図２は図１中の線Ａ−Ａ´に沿う構成断面図である。図１に示すように引手２は扉１に埋設されて、指が引っ掛かりやすいものとなっている。
【０００７】
引手２は引き戸９が閉まる方向に、引手２そのものが縦方向に収縮されながら、複数の引手２（２ａ、２ｂ、２ｃ、２ｄ）が併設されており、これにより、車椅子を利用する人が引き戸の開け閉めを行いやすいものとなっている。
【０００８】
例えば、車椅子を利用する人が一目で引き戸９が開ける方向が分かり、２ｄに指を掛け右方向に引く。次に車椅子の位置をほとんど移動させずに引手２ｃを手繰り寄せる。次いで、２ｃを右方向に引き、順次、２ｂ、２ａと引いていく。閉める際は、開けるときと逆の操作をする。
【０００９】
図３は、図２中の線Ｂ−Ｂ´に沿う拡大構成断面図であり、引手２はそれぞれ中央付近に透光性部材５が嵌め込まれており、引き戸９の向かい側に人がいることが分かるようになっている。透光性部材５はポリカーボネート板、アクリル板などが適用できる。
【図面の簡単な説明】
【００１０】
【図１】本発明の引き戸の正面図。
【図２】図１中の線Ａ−Ａ´に沿う構成断面図。
【図３】図２中の線Ｂ−Ｂ´に沿う拡大構成断面図。
【符号の説明】
【００１１】
２    引手
２ａ  引手
２ｂ  引手
２ｃ  引手
２ｄ  引手
５    透光性部材
９    引き戸
【図１】
0006075823.tif 000002
【図２】
0006075823.tif 000003
【図３】
0006075823.tif 000004
(57)【特許請求の範囲】
【請求項１】
男子が小便をする時に小便の飛沫が、便器の外側に飛び散るので、それを防ぐ為には左右に有る折り畳み式の防水遮壁の壁で遮り、小便の飛沫が便器の外側に飛び散るのを防ぐための、小便の飛沫を防ぐ防水遮壁付き洗浄便座であり、また小便の飛沫を防ぐための防水遮壁に、小便の飛沫が飛び散り不潔になるのを防ぐために、便座のシートを上に上げて小便をする時には、便座のシートの下の裏側に有るノズルからスプレイのようにシャワー洗浄水が出て、洗い流すのでいつも洗浄して綺麗にするので、また小便の飛沫を防ぐための防水遮壁は小便をした後には、便座のシートの下の裏側の中に折り畳まれて収納されるので、大便等の汚物の汚れで不潔で不衛生にはならない洗浄便座。
【発明の詳細な説明】
【技術分野】
【０００１】
（事前の説明）
現在現在一般的に家庭のトイレには男子用小便器が使われているのは少なく、殆どの多く家庭では洋風便器と洗浄式便座が使われている。小便をする時には女子の場合は腰掛けて用を足すので問題は無いが、男子が用を足す時には便座を上げて立ってするので、どうしても多少尿の飛ぶ方向や、便器の封水面や便器からの跳ね返りの飛沫がトイレの床や壁などを汚してしまう事が有るので、毎日主婦の掃除が大変です。その不満を解決するための洗浄便座である。
本発明の基本は、多くの女性が外で働く時代に少しでもトイレの掃除などの負担を減らすため、少なくとも男子の小便の飛沫が便器の外側に飛び散る事が無いように色んな方法の考え方が有るが、確実に男子の小便の飛沫が便器の外側に飛び散らせないのは、壁を作って遮るのが確実である。洋風便器の洗浄便座は座って使用する場合もあるので、
（１）男子の小便用の遮壁が邪魔にならないように、使用しない時は便座の下（裏側）の中に収納する事で解決する。
（２）又便座の下（裏側）左右にエアーカーテンの出口を付けて空気の流れを便器の内側に向けて、便器の外側には小便の飛沫が飛び散らないようにした。
【背景技術】
【０００２】
（１）男子が小便をする時に、トイレの床や壁などを少しでも汚さないようにするには、男子用小便器の設置をするか、便座に座ってするのが良いが現実には難しい場合が多い。男子の小便の飛沫が便器の外側に飛び散らないようにした防水遮壁付き洗浄便座である。
（２）強風のエアーカーテンの壁で遮るために、男子が小便をする時に便座を上に上げると便座の下（裏側）左右に有るエアーカーテンの出口から便器の中央に向けて強風が吹き出て男子の小便の飛沫が便器の外側に飛び散らないようにした。また水滴を弾き飛ばす非常に細かい超微細な加工技術を使った凹凸の有る表面処理を加えた材料により、便座そのものにも汚れが付かないようにした。
【先行技術文献】
【特許文献】
【０００３】
【特許文献１】特開2016−59416号公報
【特許文献２】特開2014−5671号公報
【発明の概要】
【発明が解決しようとする課題】
【０００４】
特開2016−59416号公報に有るような物は、便器の上に左右に幅の広い物を乗せて、小便の飛沫が便器の外側の床などに落ちないようになっているだけ。
また特開2014−5671号公報に有るような物は、不織布を折りたたんで花のように広げて便器の中に入れて、小便の飛沫が便器の外側に飛び散らないようにした物の考え方とは全く違い、小便をする時には便座の裏側の中に収納されている折り畳み式の遮壁で、小便の飛沫を遮る構造である。
【０００５】
それぞれの家庭のトイレを綺麗に使えて清潔にして、掃除の手間を減らしたい。元々トイレは家族の幼児から高齢者が使い毎日の排泄物で汚れ易くなるので、たかがトイレの問題と言えども工夫の余地があまり少なく、面倒がかからず男子の小便の飛沫が便器の外側に飛び散らせないようにするには、壁を作って遮るのが最も確実である。
【課題を解決するための手段】
【０００６】
トイレの問題点の課題を解決するには、使用者が幾ら気を配って用を足しても、尿の飛沫で便器や便器の外側の床と壁など汚さないようにすることは出来ません。尿の飛沫を遮るには物理的な構造の壁以外には解決出来ないと思われるので、遮壁に付く尿の飛沫を洗い流す遮壁洗浄ノズル付き折り畳み式の遮壁で解決する。また強風の出るエアーカーテンの壁で遮る。
【発明の効果】
【０００７】
通常、男子の立ち小便で飛び散る飛沫で汚れるトイレの床や壁などの煩わしい掃除の手間が減り、トイレの汚れによる不愉快な匂いが無くなり、使用者の家族の気分が爽やかになる。
【図面の簡単な説明】
【０００８】
【図１】折り畳み式遮壁付きの洗浄便座、側面図、正面図。
【図２】折り畳み式遮壁付きの洗浄便座の斜視図。
【図３】操作パネル盤。
【図４】エアーカーテンの壁付き洗浄便座、側面図、正面図。
【図５】エアーカーテンの壁付き洗浄便座の斜視図。
【発明を実施するための形態】
【０００９】
本発明の基本は、如何にして今までに無い男子用の尿の飛沫でトイレの床や壁を汚さないようにするか、今は通常洗浄便座が大分多く使われているようになり、一般的に男子が小便をする時は、３便座の蓋と、２便座のシートの部分を上にあげて使用するので、７便器（陶器）の上面に尿の飛沫を遮る、１折り畳み式の遮壁の、４吸着材シールを強く蜜着させて固定する。便座を上に上げると便座が上に開くので、便座の裏側に取り付けてある折り畳み式の遮壁が開いて飛沫を遮る壁になる。また便座を下に下げる時に、飛沫を遮る壁が折り畳まれて便座の下（裏側）の中に収納される。男子が小便に使用する時には便器や、８封水面の尿の飛沫で汚れるのを防ぐために、５遮壁洗浄ノズルから出る洗浄シャワーで綺麗に洗浄されるのでいつも清潔に保たれる。エアーカーテンの遮壁付き洗浄便座の場合は、便座のシートを上に上げると、９のエアー吹き出し口から強風の出るエアーカーテンの壁が出来る。使用後に便座のシートが下に下がるとエアーの吹き出しは停止する。６の操作盤やリモコンの操作盤で必要なメニューを選択して使用する。
【符号の説明】
【００１０】
1、折り畳み式遮壁。
2、便座。
3、便座の蓋
4、吸着材。
5、遮壁洗浄ノズル。
6、操作盤。
7、便器。
8、封水面。
9、エアーカーテンのエアー吹き出し口。
【要約】      （修正有）【課題】通常は男子の小便は立ってするので、若年層は元気が良く尿の勢きよいが良すぎて便器の外に漏らす失敗があり、特に中高年層になるとどうしても自分の意志道理に行かなくなり、小便の飛沫がトイレの床や壁など汚してしまう事が多いので、男子の小便の飛沫が便器の外側に飛び散らないようにした洗浄便座を提供する。【解決手段】尿の飛沫で便器や便器の外側の床と壁などを汚さないようにする物理的な構造の壁で遮り、常に清潔を保つために遮壁に付く尿の飛沫を洗い流す遮壁洗浄ノズル付きの折り畳み式の遮壁を有する洗浄便座。または遮壁を強風の出るエアーカーテンとして、男子の小便の飛沫が便器の外側に飛び散らないようにする。【選択図】図２【図１】
0006229103.tif 000002
【図２】
0006229103.tif 000003
【図３】
0006229103.tif 000004
【図４】
0006229103.tif 000005
【図５】
0006229103.tif 000006